(57)【要約】【課題】操作内容を見ながら、書類を読み取る操作ができる、端末装置を提供することを目的とする。【解決手段】外部装置と送受信する端末装置１０であって、外部装置１００と、データや指示などを送受信する送受信部１３と、読み取りエリア２１と、操作内容と、操作キーと、を表示するＴＰ表示部２０と、読み取りエリア２１上の読み取り対象を読み取って読取画像データを取得する画像読取部３０と、ＴＰ表示部２０に読み取りエリア２１を表示させ、読み取った読取画像データを、外部装置１００に送信するように送受信部１３を制御する制御部１１と、を備えている。【選択図】      図１
2013191922.tif 000002
【特許請求の範囲】
【請求項１】
外部装置と送受信する端末装置であって、
前記外部装置と、データや指示などを送受信する送受信部と、
読み取りエリアと、操作内容と、操作キーと、を表示するタッチパネル機能付き表示部と、
前記読み取りエリア上の読み取り対象を読み取って読取画像データを取得する画像読取部と、
前記表示部に前記読み取りエリアを表示させ、読み取った前記読取画像データを、前記外部装置に送信するように前記送受信部を制御する制御部と、
を備えていることを特徴とする端末装置。
【請求項２】
前記制御部は、予め、前記読み取りエリアの複数のパターンを記憶し、前記複数のパターンから必要な１つの前記読取エリアを判断し表示させ、
また、前記制御部は、前記画像読取部に前記読み取り対象の読み取りを指示し、読み取った前記読取画像データを前記外部装置に送信するように前記送受信部を制御することを特徴とするとする請求項１記載の端末装置。
【請求項３】
前記制御部は、読み取った前記読取画像データにより、前記読み取り対象が所定の位置に置かれていることを判断し、所定の位置に置かれていると判断した場合は、前記読取画像データを前記外部装置に送信するように前記送受信部を制御することを特徴とする請求項１乃至請求項２に記載の端末装置。
【請求項４】
前記表示部の額縁において、下辺と、左辺もしくは右辺と、に、各々、少なくとも、１つの凸部があることを特徴とする請求項１乃至請求項３に記載の端末装置。
【請求項５】
前記読取画像データを、補正画像データに補正する画像補正部を有することを特徴とする請求項１乃至請求項４に記載の端末装置。
【請求項６】
前記読み取りエリアに置いた書類を映す反射部を備え、
前記反射部に映した書類を読み取る位置に、画像読取部が配置されていることを特徴とする請求項１乃至請求項５に記載の端末装置。
【請求項７】
送受信部と、タッチパネル機能付き表示部と、画像読取部と、制御部と、を備えている外部装置と送受信する端末装置の読み取り対象の読み取り方法において、
予め、読み取りエリアの複数のパターンを記憶し、前記複数のパターンから必要な１つの前記読取エリアを判断し表示させる工程と、
前記読み取りエリア上の読み取り対象を読み取って読取画像データを取得する工程と、
読み取った前記読取画像データを、前記外部装置に送信する工程と、
を備えていることを特徴とする端末装置における読み取り対象の読み取り方法。
【請求項８】
読み取った前記読取画像データにより、前記読み取り対象が所定の位置に置かれていることを判断し、所定の位置に置かれていると判断した場合は、前記読取画像データを前記外部装置に送信する工程を備えていることを特徴とする請求項７に記載の端末装置における読み取り対象の読み取り方法。
【請求項９】
読み取った前記読取画像データを補正画像データに補正する工程を備えていることを特徴とする請求項７乃至請求項８に記載の端末装置における読み取り対象の読み取り方法。
【請求項１０】
前記読取画像データが反射部に映した反射画像データであり、前記反射画像データを前記補正画像データに補正する工程を備えていることを特徴とする請求項７乃至請求項８に記載の端末装置における読み取り対象の読み取り方法。
【発明の詳細な説明】
【技術分野】
【０００１】
本発明は、無人取引システムに使用される端末装置、書類およびカード類の読み取り方法に関する。
【背景技術】
【０００２】
近年、金融機関やコンビニエンスストア等において、現金の入出金やその他の処理を、顧客が操作する装置が広く普及している。顧客がキャッシュカード等の所定の金融商品を利用する場合には、契約申込書の提出等の手続きが必要になる。このような手続きは、金融機関の窓口においては、係員の案内により行われているが、遠隔操作により、顧客に手続きの手順を案内し、顧客が端末装置を操作する無人取引システムでの手続きもある。
【０００３】
無人取引システムとして、特許文献１がある。
【０００４】
図１０は特許文献１の実施形態を説明する図である。
【０００５】
書類の記入台２０の一部に書類の読み取り部２０ａを設け、表示部１６の案内に従って、書類を読み取り部２０ａに置いて、タッチパネル１７の仮想キーの操作により書類の読み取る動作を行う、顧客が操作する端末装置である。
【先行技術文献】
【特許文献】
【０００６】
【特許文献１】特許第３８１１８８１号公報
【発明の概要】
【発明が解決しようとする課題】
【０００７】
前述の端末装置は、書類の読み取りエリア（図１０の２０ａ）と、ガイダンスの表示部（図１０の１６）およびタッチパネルのキー操作部（図１０の１７）と、が離れた位置に配置されている。このため、顧客が、表示部と、読み取りエリアと、を交互に見ながら、タッチパネルのキーを操作する必要があったため、誤った書類を置いたり、タッチパネルを操作しようとした際に、衣類などが書類に触れて、書類の位置がズレたり、する問題があった。
【０００８】
これらを鑑み、本発明の目的は、読み取りエリアと、操作内容と、操作キーと、を同じ表示画面に表示させ、操作内容を見ながら、書類を読み取る操作ができる、端末装置の提供である。
【課題を解決するための手段】
【０００９】
本発明の端末装置は、外部装置と送受信する端末装置であって、前記外部装置と、データや指示などを送受信する送受信部と、読み取りエリアと、操作内容と、操作キーと、を表示するタッチパネル機能付き表示部と、前記読み取りエリア上の読み取り対象を読み取って読取画像データを取得する画像読取部と、前記表示部に前記読み取りエリアを表示させ、読み取った前記読取画像データを、前記外部装置に送信するように前記送受信部を制御する制御部と、を備えていることを特徴とする。
【００１０】
また、本発明の端末装置における読み取り対象の読み取り方法は、送受信部と、タッチパネル機能付き表示部と、画像読取部と、制御部と、を備えている外部装置と送受信する端末装置の読み取り対象の読み取り方法において、予め、読み取りエリアの複数のパターンを記憶し、前記複数のパターンから必要な１つの前記読取エリアを判断し表示させる工程と、前記読み取りエリア上の読み取り対象を読み取って読取画像データを取得する工程と、読み取った前記読取画像データを、前記外部装置に送信する工程と、を備えていることを特徴とする。
【発明の効果】
【００１１】
本発明によれば、操作内容を見ながら、書類を読み取る操作ができ、端末装置の操作性が向上する。
【図面の簡単な説明】
【００１２】
【図１】本願発明の第１の実施形態を示すブロック図である。
【図２】第１の実施形態の動作を示すフロー図である。
【図３】タッチパネル付き表示部の表示例を示す図である。
【図４】読取エリアおよびコーナーマークのパターンを示す図である。
【図５】タッチパネル付き表示部の表示例を示す図である。
【図６】タッチパネル付き表示部の角部の拡大図である。
【図７】タッチパネル付き表示部の表示例を示す図である。
【図８】本実施形態の端末装置の外形図である。
【図９】本実施形態の端末装置の外形図である。
【図１０】背景技術を説明する図である。
【発明を実施するための形態】
【００１３】
本発明の第１の実施形態について、図を参照して説明する。
【００１４】
図１は本発明の第１の実施形態である端末装置１０の機能構成を示すブロック図である。
【００１５】
端末装置１０は、少なくとも、タッチパネル機能付き表示部（以下、ＴＰ表示部と記述）２０と、前述のＴＰ表示部２０の全体を読取範囲とする、例えば、ＣＣＤ（Ｃｈａｒｇｅ  Ｃｏｕｐｌｅｄ  Ｄｅｖｉｃｅ）カメラなどの画像読取部３０と、画像読取部３０とＴＰ表示部の表示内容とを制御する制御部１１と、読み取った画像を正面から読み取った画像に補正する画像補正部１２と、外部装置とデータや指示などを送受信する送受信部１３と、無人取引システムに必要なその他の機能と、で構成される。無人取引システムに必要なその他の機能は、無人取引システム毎に異なり、例えば、特許文献１に記載されているなど、公知であるので説明は省略する。
【００１６】
本発明の第１の実施形態の動作について、図を用いて説明する。
【００１７】
図２は、第１の実施形態の動作の流れを説明するフロー図である。書類を読み取る工程について説明する。なお、無人取引システムを扱う金融機関等により、手続きの案内手順などが異なり、また、例えば、特許文献１に記載されているなど、公知であるので、前ステップと次ステップの説明は省略する。
【００１８】
図３は、ＴＰ表示部２０の表示内容の一例である。
読取エリア２１は、書類を置く範囲を示し、操作内容２２は、手続き案内および端末装置の操作方法を示し、操作キー２３は、タッチパネルの動作部である操作ボタンなどを示し、コーナーマーク２４は、読み取った画像の補正時に使用される。
【００１９】
制御部１１は、今回のステップで必要な書類と、前述の書類に応じた読取エリアを判断し（ステップＳ１１）、ＴＰ表示部２０に、読取エリア２１と、操作内容２２と、操作キー２３と、コーナーマーク２４と、を表示させる（ステップＳ１２）。制御部１１は、図４に示すように、読み取らせる書類と、読み取らせる書類に応じた、読取エリア２１と、コーナーマーク２４と、の複数のパターンを記憶しているメモリ部を有している。
【００２０】
次に、制御部１１は、タッチパネルからの指示により、画像読取部３０に書類を読み取らせ、図５に例示するように、操作内容２２に処理中であることを表示させる（ステップＳ１３）。画像読取部３０で読み取らせる範囲は、ＴＰ表示部２０全体でもよいし、読み取らせる書類に絞ってもよい。
【００２１】
次に、読み取った画像で、例えば、読取エリア２１から書類がはみ出していない、など、制御部１１が、正しい位置に書類が置かれていることを判断する（ステップＳ１４）。
【００２２】
正しい位置に置かれていないと判断した場合は、制御部１１が正しい位置に置かれていないことを示す警告表示を操作内容２２に表示させ（ステップＡ１）、ステップＳ１２に戻る。
【００２３】
ここで、書類の位置決めについて説明する。
【００２４】
書類は一般に矩形であり、隣り合う２つ辺を突き当てた方が位置を決めやすい。本実施形態では、図３に例示するように、ＴＰ表示部２０の額縁２０ａの左下（左辺と下辺）に読み取り書類２００を突き当てるように表示されている。
【００２５】
図６は図３のＡ部の拡大図である。
【００２６】
ＴＰ表示部２０の額縁２０ａには、凸部（Ｂ部）が下辺、左辺ともに、少なくとも１箇所ずつあり、前述の額縁２０ａの左下に、前述の書類２００を突き当てた際に、コーナーマーク２４が隠れないようになっている。
【００２７】
次に、正しい位置に置かれていると判断した場合は、制御部１１は、読み取った画像を画像補正部１２に送信する（ステップＳ１５）。
【００２８】
次に、画像補正部１２は受信した画像を正面から読み取った画像に補正し、送受信部１３に送信する（ステップＳ１６）。４つのコーナーマーク２４による画像の補正手段は、例えば、特許第３５８２９８８号に記載されているなど、公知の技術であるので説明は省略する。また、コーナーマーク２４を使用せずに、例えば、図７に示すように、読み取りエリア２１を単一色で表示させ、色の違いにより読み取る書類２００を判断させ、画像を補正してもよい。この他にも画像の補正手段は多様にあり、どの補正手段を使用してもよい。
【００２９】
次に、送受信部１３は受信した画像を外部装置１００に送信する（ステップＳ１７）。
【００３０】
次に、送受信部１３は外部装置１００から受信した指示を制御部１１に送信する（ステップＳ１８）。
【００３１】
次に、制御部１１は、例えば、再度ステップＳ１２からやり直させたり、次の書類を読み取らせたり、などの外部装置１００から受信した指示により、操作内容２２の表示内容を判断し、操作内容２２を変更させ、表示させる（ステップＳ１９）。一連の処理が完了したら、次ステップにすすむ。
【００３２】
図８，９は本実施形態の端末装置１０の一例である。
【００３３】
図８は、読み取り操作に影響を与えないように、画像読取部３０を小型化しつつ、読み取り操作に影響がない位置、例えば、目隠し板の上に設置し、ＴＰ表示部２０に置かれた書類を、画像読取部３０で直接読み取る端末装置である。
【００３４】
図９は、画像読取部３０を端末装置に内蔵し、鏡などの反射部材４０を介して、ＴＰ表示部２０におかれた書類を読み取る端末装置である。画像読取部３０を端末装置に内蔵することで、読み取り操作に影響を与えず、望遠や高精細など、画像読取部３０の機能を高度化することが可能となり、反射部材４０を小さくしたり、読み取る画像を高画質にしたり、することなどが可能となる。なお、鏡などの反射部材４０に映った画像データを反転させる技術は公知であるので、説明は省略する。
【００３５】
以上のように、読み取りエリアと、操作内容と、操作キーと、を同じ表示画面に表示させ、操作内容を見ながら、書類を読み取る操作ができ、端末装置の操作性が向上する。
【符号の説明】
【００３６】
１０    端末装置
１１    制御部
１２    画像補正部
１３    送受信部
２０    ＴＰ表示部
２０ａ    額縁
２１    読取エリア
２２    操作内容
２３    操作キー
２４    コーナーマーク
３０    画像読取部
４０    反射部材
１００    外部装置
２００    書類
【図１】
2013191922.tif 000003
【図２】
2013191922.tif 000004
【図３】
2013191922.tif 000005
【図４】
2013191922.tif 000006
【図５】
2013191922.tif 000007
【図６】
2013191922.tif 000008
【図７】
2013191922.tif 000009
【図８】
2013191922.tif 000010
【図９】
2013191922.tif 000011
【図１０】
2013191922.tif 000012